(57)【要約】【課題】  より簡単に内蔵部品を取り出せるようにする。【解決手段】  二次電池１４の外部からの取り出しを許容する開口に、この開口より小さい座面１２を配置する。座面１２は、リブ２８ａ〜２８ｄで筐体に接続する。座面１２と筐体との間にはスリット１２ａ〜１２ｄがある。リブ２８ａ〜２８ｄを切断することで、座面１２を取り外しでき、二次電池１４が外部に露出し、容易に二次電池１４を取り外せるようになる。【選択図】  図２
2007067298.tif 000002
【特許請求の範囲】
【請求項１】
破棄時に分離する必要のある内蔵部品を具備する電子機器であって、当該内蔵部品の外部からの取り出しを許容する開口を当該電子機器の筐体に設け、当該筐体と少なくとも２つのリブで接続する、当該開口よりも小さい板材を当該開口に配置してあることを特徴とする電子機器。
【請求項２】
当該リブは、前記板材よりも肉薄であることを特徴とする請求項１に記載の電子機器。
【請求項３】
前記内蔵部品が電池であることを特徴とする請求項１又は２に記載の撮像装置。
【請求項４】
さらに、当該板材及び当該板材と当該外部筐体との間の隙間が、前記内蔵部品の取り出し方を表記するシール材で隠蔽されていることを特徴とする請求項１に記載の電子機器。
【請求項５】
当該電子機器が撮像装置であることを特徴とする電子機器。
【発明の詳細な説明】
【技術分野】
【０００１】
本発明は、内蔵部品、例えば電池を容易に取り出し可能な電子機器に関する。
【背景技術】
【０００２】
近年、多くの電子機器は、環境への配慮から、廃棄時の分別及びリサイクルが行われている。特に、撮像装置には、データバックアップ用二次電池等が設けられており、廃棄時の分別及びリサイクルが必要とされている。また、廃棄時の分別やリサイクルがスムーズに行えるように、様々な工夫がされている。
【０００３】
特許文献１には、撮像装置に電池蓋を設け、電池蓋の内側に二次電池を取り付け、電池蓋と一緒に二次電池を取り外すことが記載されている。
【０００４】
一方、近年の撮像装置は、技術の進歩に伴い、機器の小型化が図られている。
【特許文献１】特開２００５−０７９０１７号公報
【発明の開示】
【発明が解決しようとする課題】
【０００５】
しかし、特許文献１に記載の構造では、複雑なロック機構を設けたため、撮像装置の内部に多くのスペースを確保しなければならず、構造上の制約が多い。その結果、撮像装置全体が大きくなってしまい、これに更にロック機構を設けると、更に大きくなってしまう。
【０００６】
また、複雑なロック機構を設けると、内蔵部品を取り外すために蓋部材が必要となり、コストアップを招いてしまう。
【０００７】
そこで、本発明は、このような問題に鑑み、構造の制約が少なく、内蔵部品を取り出せる電子機器を提示することを目的とする。
【課題を解決するための手段】
【０００８】
上記の目的を達成するために、本発明に係る電子機器は、破棄時に分離する必要のある内蔵部品を具備する電子機器であって、当該内蔵部品の外部からの取り出しを許容する開口を当該電子機器の筐体に設け、当該筐体と少なくとも２つのリブで接続する、当該開口よりも小さい板材を当該開口に配置してあることを特徴とする。
【発明の効果】
【０００９】
本発明によれば、リブを切断して当該板材を除去することで、当該内蔵部品を外部から取り出せる。これにより、内蔵部品を容易に電子機器から分離できる。
【発明を実施するための最良の形態】
【００１０】
以下、図面を参照して、本発明の実施例を詳細に説明する。
【実施例１】
【００１１】
図１及び図２を用いて、本発明の一実施例の構成を説明する。図１は、本発明の実施例１に係る撮像装置の外観図である。図２は、実施例１の座面の裏側を示す図である。撮像装置１０は、座面１２、二次電池（リチウムイオン電池、ニッカド電池又はニッケル水素電池等）１４、フレキシブル基板１６、端子１８、ピン２０ａ、２０ｂ、ボス２２ａ，２２ｂ、位置決め孔２４ａ，２４ｂ、ボス止め孔２６ａ，２６ｂ、リブ２８ａ，２８ｂ，２８ｃ、２８ｄ及びシート材３０を具備する。
【００１２】
座面１２は裏面に二次電池１４を具備し、四方にスリット１２ａ〜１２ｄを具備する。二次電池１４は繰り返し充電・放電が行える電池であり、フレキシブル基板１６に半田付けされている。また、二次電池１４は、フレキシブル基板１６を介して撮像装置１０に電力を供給する。フレキシブル基板１６は柔軟性を持ったプリント基板であり、折り曲げて撮像装置１０に格納される。端子１８は撮像装置１０の基板（不図示）に電気的に接続されている。ピン２０ａ，２０ｂ及びボス２２ａ，２２ｂは座面１２に立設されている。位置決め孔２４ａ、２４ｂ及びボス止め孔２６ａ、２６ｂは、フレキシブル基板１６に設けられている。すなわち、ピン２０ａは位置決め孔２４ａに嵌合し、ピン２０ｂは位置決め孔２４ｂに嵌合する。また、ボス２２ａはボス止め孔２６ａに嵌合し、ボス２２ｂはボス止め孔２６ｂに嵌合する。
【００１３】
リブ２８ａ〜２８ｄは座面１２の外周を取り囲む４箇所に形成され、座面１２の厚さよりも肉薄になっている。また、リブ２８ａ〜２８ｄはニッパー等の工具で切断できる程度の幅を具備する。二次電池１４の取り外し方法等が表記されたシート材３０が、両面テープで座面１２を隠蔽するように、座面１２上に接着される。また、シート材３０は、座面１２を隠すようなサイズである。
【００１４】
ここで、図３を用いて、シート材３０が座面１２に貼り付けられる様子を説明する。図３は、シート材３０が座面１２に貼り付けられるイメージ図である。工業出荷時に、両面テープを用いて、シート材３０が座面１２に貼り付けられる。シート材３０が貼り付けられると、スリット１２ａ〜１２ｄが覆い隠される。また、撮像装置１０の外観のカバー（不図示）に接触しないように、且つ、スリット１２ａ〜１２ｄの窪みが出るように、シート材３０を貼り付ける。シート材３０の表面には、二次電池１４の取り外し方法を記載する。例えば、「このシートを剥がし、周囲をニッパーなどで切断して外してください。」等と表記したり、注意ラベルを印刷したりする。
【００１５】
次に、図４及び図５を用いて、二次電池１４が取り出されるまでの手順を説明する。図４は、スリット１２ａ〜１２ｄの切断を示す図である。図５は、本実施例で二次電池１４を取り外した状態を示す図である。図４において、座面１２からシート材３０を引き剥がす。スリット１２ａとスリット１２ｄの間にニッパーの先端部分を入れて、リブ２８ａを切断する。同様にして、リブ２８ｂ〜２８ｄを切断する。リブ２８ａ〜リブ２８ｄが切断されると、スリット１２ａ〜１２ｄを境界にして、座面１２が外側と内側に分離される。ピン２０ａ，２０ｂ及びボス２２ａ，２２ｂがフレキシブル基板１６に固定されているので、座面１２の外側が固定され、座面１２の内側だけが取り外し可能である。座面１２の内側が手前に引かれると、フレキシブル基板１６に半田付けされた二次電池１４が、撮像装置１０の外部に露出する。そして、撮像装置１０の外部から二次電池１４が取り出される。
【００１６】
本実施例では、二次電池１４が取り出されるまでの手順を説明したが、二次電池１４に限定されることはなく、電子機器の内蔵部品であれば、同様の構成及び手順で取り出し可能である。
【００１７】
また、リブ２８ａ〜２８ｄを４箇所に備えたが、必ず４箇所に備えなければならないというわけではない。すなわち、座面１２が固定されていればよいので、構造的に２箇所以上にリブを設ければよい。
【００１８】
さらに、座面１２の形状を四角形としたが、内蔵部品の形状に合わせて三角形又は五角形等の多角形を採用してもよい。
【００１９】
このように、スリット１２ａ〜１２ｄとリブ２８ａ〜２８ｄの簡単な構造を座面１２に設けたので、ニッパー等の簡単な工具があれば、簡単に二次電池１４を取り外せる。座面１２の形状を変更すればいいので、部品にかかるコストアップを免れる。
【実施例２】
【００２０】
図６及び図７を用いて、本発明の実施例２を説明する。図６は、実施例２における座面の裏側を示す図である。図７は、実施例２で二次電池が取り出された様子を示す図である。
【００２１】
実施例２では、ピン２０ａ，２０ｂ、ボス２２ａ，２２ｂ、位置決め孔２４ａ，２４ｂ及びボス止め孔２６ａ，２６ｂを実施例１とは異なる位置に配置した。また、実施例１と同じ機能の要素には、同じ符号を付してある。実施例１とは異なる部分を説明する。
【００２２】
実施例２では、スリット１２ａとスリット１２ｄの間にニッパーの先端部分を入れて、リブ２８ａを切断する。同様にして、リブ２８ｂ〜２８ｄを切断する。リブ２８ａ〜２８ｄが切断されると、スリット１２ａ〜１２ｄを境界にして、座面２１２が外側と内側に分離される。ピン２０ａ，２０ｂ及びボス２２ａ，２２ｂがフレキシブル基板１６に固定されているので、座面２１２の外側が固定され、座面２１２の内側だけが取り外せる。座面２１２の内側が手前に引かれると、フレキシブル基板１６に半田付けされた二次電池１４が、撮像装置２００の外部に露出する。座面２１２の内側が取り出されると同時に、フレキシブル基板１６と二次電池１４も撮像装置２００の外部に取り出される。このようにして、撮像装置２００から二次電池１４を簡単に取り出せる。
【図面の簡単な説明】
【００２３】
【図１】本発明の実施例１に係る撮像装置の外観図である。
【図２】実施例１における座面の裏側を示す図である。
【図３】実施例１で、シート材が座面に貼り付けられるイメージ図である。
【図４】実施例１でスリットの切断を示す図である。
【図５】実施例１で二次電池が取り出される様子を示す図である。
【図６】実施例２における座面の裏側を示す図である。
【図７】実施例２で二次電池が取り出された様子を示す図である。
【符号の説明】
【００２４】
１０，２００  撮像装置
１２，２１２  座面
１２ａ，１２ｂ，１２ｃ，１２ｄ  スリット形状
１４  二次電池
１６  フレキシブル基板
１８  端子
２０ａ，２０ｂ  ピン
２２ａ，２２ｂ  ボス
２４ａ，２４ｂ  位置決め孔部
２６ａ，２６ｂ  ボス止め孔部
２８ａ，２８ｂ，２８ｃ，２８ｄ  リブ形状
３０，１３０  シート材
【図１】
2007067298.tif 000003
【図２】
2007067298.tif 000004
【図３】
2007067298.tif 000005
【図４】
2007067298.tif 000006
【図５】
2007067298.tif 000007
【図６】
2007067298.tif 000008
【図７】
2007067298.tif 000009